(57)【特許請求の範囲】
【請求項１】
弁室の壁部に設けた貫通部分を貫通する駆動棒によって弁体を移動することにより、混入剤を含んだ液体の流路を開閉するとともに、前記駆動棒を電動力によって駆動する電動式弁であって、
前記貫通部分に気密用部材を設けるとともに、前記貫通部分の外側の前記壁部と前記駆動棒との間に、前記移動に伴って変形する隔膜を設けた気密室を形成する気密室形成手段と、
前記気密室と、前記液体の下流側に配置された前記液体の蒸気の部分とを接続するための流路を設けることにより、前記気密用部材の部分に前記混入剤の結晶が析出することを防止する結晶析出防止手段と
を具備することを特徴とする電動式弁。
【請求項２】
吸収液を、冷媒蒸気を保有する部分に、流下させるために、弁室の壁部に設けた貫通部分を貫通する駆動棒によって弁体を移動することにより、前記吸収液の流路を開閉するとともに、前記駆動棒を電動力によって駆動する電動式弁を設けた吸収式冷凍機であって、
前記貫通部分に気密用部材を設けるとともに、前記貫通部分の外側の前記壁部と前記駆動棒との間に、前記移動に伴って変形する隔膜を設けた気密室を形成する気密室形成手段と、
前記気密室と、前記液体の下流側に配置された前記冷媒蒸気の部分とを接続するための流路を設けることにより、前記気密用部材の部分に前記吸収液の混入剤の結晶が析出することを防止する結晶析出防止手段と
を具備することを特徴とする吸収式冷凍機。
【発明の詳細な説明】
【０００１】
【発明の属する技術分野】
この発明は、液体の流路を開閉する電動式弁ならびに電動式弁を用いて吸収液の流路を開閉する吸収式冷凍機に関するものである。また、この発明において、電動式弁とは、回転動作または直線動作による電気的な駆動力によって弁体の開閉動作を行う開閉弁の全てを含む総称である。
【０００２】
【従来の技術】
この種の電動式弁としては、図４のように、弁室６４の内部に設けた液体７０の流路７１を開閉する弁体６１を設けた弁機構部分６０と、弁体６１の駆動棒６２を、電磁コイル５２の磁力で案内シリンダ５６の内部を移動するプランジャ５５によって駆動する駆動機構部分５０を設けた電磁弁２００や、例えば、図５のように、図４と同様に、液体７０の流路７１を開閉する弁体６１の駆動棒６２を、歯車機構８５、例えば、ラック８５Ａとピニオン８５Ｂとによる歯車機構を介して、回転動作を行う電動機８６により駆動する電動弁３００などの構成が周知である。
【０００３】
また、こうした電動式弁において、流路７０を流通する液体７０が冷媒などの混入剤を含んだ溶液、例えば、吸収式冷凍機における熱操作流体のように、吸収剤などの混入剤を含んでいる場合には、駆動棒６２を駆動する駆動機構部分５０側に、混入剤の結晶が析出したり、腐食生成物、鉄粉、溶接スラッジなどが侵入して、駆動棒６２の移動を阻害するため、吸収式冷凍機１００に不測の故障、例えば、冷暖運転と暖房運転との切換が不能になるなどの故障を招くという不都合を生ずる。
【０００４】
この不都合を解消するために、図４のように、弁室６４と駆動棒との間に、蛇腹状の隔膜８０を設けるとともに、隔膜８０の伸縮による背圧を除去するため均圧管路８３を駆動機構部分５０側に設けて、この均圧管路８３を流体７０の圧力と同程度の圧力をもつ気体、例えば、冷媒蒸気の部分に接続する構成（以下、第１従来技術という）が、本願出願人の出願にかかる特開平８−１２８５５６号公報に開示されている。
【０００５】
また、図４のような電動式弁、つまり、電磁弁２００を、図６のように、吸収式冷凍機１００における吸収液の所要の流路に設けた構成（以下、第２従来技術という）が、上記の特開平８−１２８５５６号公報に開示されている。
【０００６】
図６において、吸収式冷凍機１００は、吸収式冷温水機などの吸収式冷凍機であり、例えば、吸収剤を臭化リチウム、冷媒を水として混合した臭化リチウム水溶液などの吸収液を用いて周知の吸収式冷凍を行うものであって、太い実線部分は冷媒液・吸収液・冷却用水などの液体管路、二重線部分は冷媒蒸気の蒸気管路、つまり、気体管路であり、まず、吸収液の循環系を、吸収器１の底部に溜っている低濃度の吸収液、つまり、稀液２ａを起点として説明する。
【０００７】
稀液２ａは、ポンプＰ１により、熱交換器３・４を経て、高温再生器５の加熱槽５Ａに入る。高温再生器５は、加熱槽５Ａと分離槽５Ｃとで構成してあり、稀液２ａを加熱槽５Ａで加熱して、分離槽５Ｃに送る。
【０００８】
高温になった稀液２ａは、分離槽５そ内で、稀液２ａ中に含まれている冷媒が蒸発して、高温になった中濃度の吸収液、つまり、中間液２ｂと、冷媒蒸気７ａとに分離される。
【０００９】
高温の中間液２ｂは、熱交換器４を経て、低温再生器１１に入り、中間液２ｃになる。中間液２ｃは、低温再生器１１内で高温再生器５からの冷媒蒸気７ａが通る管路により加熱されて、高温になった高濃度の吸収液、つまり、濃液２ｄと、冷媒蒸気７ｂとに分離する。
【００１０】
高温の濃液２ｄは、熱交換器３を経て、吸収器１内の散布器１Ａに入り、散布器１Ａの多数の穴から散布され、この散布した濃液２ｄは、吸収器１内の冷却管１Ｂを流通する冷却用水３１ａによって冷却される。
【００１１】
また、濃液２ｄは、冷却管１Ｂの外側を流下する際に、隣接する蒸発器２０から入ってくる冷媒蒸気７ｃを吸収して稀薄化し、低温の稀液２ａに戻り、吸収液の一巡が終えるという吸収液循環を繰り返すものである。
【００１２】
次に、冷媒の循環系を、吸収器１に入った冷媒蒸気７Ｃを起点にして説明する。冷媒蒸気７ｃは、上記の吸収液循環系で説明したように、吸収器１内の散布器１Ａから分散した濃液２ｄに吸収される。冷媒を吸収した稀液２ａは、高温再生器５で加熱されて冷媒蒸気７ａが分離する。
【００１３】
冷媒蒸気７ａは、低温再生器１１の放熱管１１Ａに入り、中間液２ｃに熱を与えて放熱し、凝縮して冷媒液８ａになった後に、凝縮器１５の底部に入る。また、凝縮器１５は、隣接する低温再生器１１から入ってくる冷媒蒸気７ｂを、凝縮器１５内の冷却管１５Ａを通る冷却用水３１ａで冷却し、冷媒蒸気７ｂを凝縮して低温の冷媒液８ａにする。
【００１４】
冷媒液８ａは、蒸発器２０内の散布器２０Ａに入り、散布器２０Ａの多数の穴から蒸発器２０内に散布され、蒸発器２０の低部に溜まって冷媒液８ｂになる。この冷媒液８ｂは、ポンプＰ２により、再び散布器２０Ａに送られ、散布器２０Ａから散布することを繰り返す。
【００１５】
散布された冷媒液８ｂは、蒸発器２０内の熱交換管２０Ｂを通る被熱操作流体、つまり、冷／温戻水３２ａを冷却する。この冷却の際に、冷媒液８ｂは、冷／温戻水３２ａから熱を吸収して蒸発し、冷媒蒸気７ｃになって、隣接する吸収器１に戻り、冷媒の一巡が終えるという冷媒循環を繰り返すものである。
【００１６】
なお、高温再生器５は、加熱槽５Ａと分離槽５Ｃとを一体構造にして構成したものも周知であり、また、高温再生器５の内部にある中間液２ｂと冷媒蒸気７ａとは圧力が平衡状態にされており、さらに、蒸発器２０の内部にある冷媒液８ｂと冷媒蒸気７ｃとは圧力が平衡状態にされているものである。
【００１７】
上記のように、高温再生器５と低温再生器１１との二重の再生動作によって、吸収液と冷媒、つまり、熱操作流体を循環しながら蒸発器２０内の熱交換管２０Ｂによって、冷／温戻水３２ａ、つまり、被熱操作流体を冷却し、冷水３２ｂを室内空調機器などの冷却対象機器（図示せず）に冷却用被熱操作流体として与える運転を、二重効用の冷却運転と言い、主として、冷房用に用いているため、冷房運転とも言っている。
【００１８】
これに対して、高温再生器５の内部にある高温の中間液２ｂと冷媒蒸気７ａとを、開閉弁Ｖ１を開いて、直接、吸収器１に戻し入れるとともに、蒸発器２０の内部にある冷媒液８ｂを、開閉弁Ｖ２を開いて、吸収器１に戻し入れることにより、低温再生器１１を用いずに、高温再生器５のみの運転によって、吸収液循環と冷媒循環とを行いながら蒸発器２０内の熱交換管２０Ｂによって、冷／温戻水３２ａ、つまり、被熱操作流体を加温し、温水３２ｂを室内空調機器などの加温対象機器（図示せず）に加温用被熱操作流体として与える運転を、加温運転（ボイラー運転）と言い、主として、暖房用に用いているため、暖房運転とも言っている。
【００１９】
また、この加温運転時、つまり、暖房運転時には、吸収器１と凝縮器１５との冷却は不要なので、冷却管１Ｂと冷却管１５Ａとに対する冷却用水３１ａの送水を停止している。
【００２０】
なお、必要に応じて、暖房運転時に、冷媒液８ａを蒸発器２０に、直接、戻し入れるための開閉弁Ｖ４や、濃液２ｄを散布管１Ａを介さずに吸収器１に戻し入れるための開閉弁Ｖ３を設けている。
【００２１】
こうした冷房運転と暖房運転との切換などを行うための開閉弁Ｖ１・Ｖ２・Ｖ３・Ｖ４として、図４のような構成をもつ電動式弁、つまり、電磁弁２００を用いるとともに、流入口６３・流出口６５・均圧管路８３を所要の箇所に接続している。
【００２２】
【発明が解決しようとする課題】
上記のような第１従来技術による電動式弁、つまり、電磁弁２００の構造では、蛇腹状の隔膜８０を、弁室６４内に設けているため、実質的な弁室の容積と弁体６１の移動量とが小さくなるので、吸収液の循環容量が大きい吸収式冷凍機１００の場合には、不向きであり、図５の電動弁３００のように、弁室６４の壁部６４Ａに設けた気密状の貫通部分６６、つまり、気密用部材６６Ａ、例えば、Ｏリングのパッキンで気密状にした貫通部分を貫通させた駆動棒６２を、弁室６４の外側に設けた駆動機構部分５０によって駆動する構成のものを用いる必要がある。
【００２３】
しかしながら、こうした構成の電動式弁を用いた場合には、貫通部分６６の外側が外気になっているため、駆動棒６２の移動によって、気密用部材６６Ａ、例えば、パッキンなどに付着した液体７０中の混入剤が結晶になって析出したり、同様に付着した液体７０中の腐食生成物、鉄粉、溶接スラッジなどが固化して、駆動棒６２の移動を阻害し、または、気密構造を破壊するため、吸収式冷凍機１００に不測の故障、例えば、冷暖運転と暖房運転との切換が不能になるなどの故障を招くという不都合を生ずる。
【００２４】
このため、こうした不都合のない電動式弁ならびに電動式弁を用いた吸収式冷凍機の提供が望まれているという課題がある。
【００２５】
【課題を解決するための手段】
この発明は、上記のような
弁室の壁部に設けた貫通部分を貫通する駆動棒によって弁体を移動することにより、混入剤を含んだ液体の流路を開閉するとともに、上記の駆動棒を電動力によって駆動する電動式弁において、
【００２６】
上記の貫通部分に気密用部材を設けるとともに、上記の貫通部分の外側の上記の壁部と上記の駆動棒との間に、上記の移動に伴って変形する隔膜を設けた気密室を形成する気密室形成手段と、
上記の気密室と、上記の液体の下流側に配置された上記の液体の蒸気の部分とを接続するための流路を設けることにより、上記の気密用部材の部分に上記の混入剤の結晶が析出することを防止する結晶析出防止手段と
を設ける第１の構成と、
【００２７】
吸収液を、冷媒蒸気を保有する部分に、流下させるために、弁室の壁部に設けた貫通部分を貫通する駆動棒によって弁体を移動することにより、上記の吸収液の流路を開閉するとともに、上記の駆動棒を電動力によって駆動する電動式弁を設けた吸収式冷凍機において、
【００２８】
上記の貫通部分に気密用部材を設けるとともに、上記の貫通部分の外側の上記の壁部と上記の駆動棒との間に、上記の移動に伴って変形する隔膜を設けた気密室を形成する気密室形成手段と、
上記の気密室と、上記の液体の下流側に配置された上記の冷媒蒸気の部分とを接続するための流路を設けることにより、上記の気密用部材の部分に上記の吸収液の混入剤の結晶が析出することを防止する結晶析出防止手段と
を設ける第２の構成とによって、上記の課題を解決したものである。
【００２９】
【発明の実施の形態】
この発明の実施の形態として、図５の電動弁３００と同様の電動弁の構成と、図６の吸収式冷凍機１００の構成とに、この発明を適用した場合の実施例を説明する。
【００３０】
【実施例】
以下、実施例を図１〜図３により説明する。これらの図において、図４〜図６の符号と同一符号で示す部分は、図４〜図７で説明した同一符号の部分と同一の機能をもつ部分であり、また、図１〜図３において、同一符号で示す部分は、図１〜図３のいずれかによって説明した同一符号の部分と同一の機能をもつ部分である。
【００３１】
〔第１実施例〕
まず、第１実施例として、図１により電動弁３００の実施例を説明する。図１において、図５の電動弁３００と異なる箇所は、歯車機構８５を小傘歯車８５Ｃと大傘歯車８５Ｄとによる歯車機構にした箇所と、駆動棒６２の移動機構を、軸受８５Ｅで保持されたネジ軸６２Ｂを大傘歯車８５Ｄで回転することにより、駆動棒６２に設けたネジ穴６２Ａに対して、入れ出しして移動するように構成した箇所と、貫通部分３３の外側の壁部６４Ａと駆動棒６２との間に、弁体６１の移動、つまり、駆動棒６２の移動にともなって変形する隔膜８０Ａを設けた気密室８１Ａを形成した箇所と、気密室８１に、この気密室８１Ａと、液体７０の下流側に配置された気体の部分（図示せず）とを接続するための流路として均圧管路８３Ａを設けた箇所とである。
【００３２】
そして、具体的には、隔膜８０Ａは、薄い金属材、例えば、薄いステンレス鋼材を蛇腹状に形成したベローズであって、一端側は、駆動棒６２の張出部分６２Ｃに、また、他端側は、壁部６４Ａに気密状に固定した筒体８７の解放端側８７Ａに、それぞれ、ろー付け、または、溶接で気密状に固定することにより、気密室８０Ａを形成してある。
【００３３】
各構成部材は、断面に右上がり傾斜の細線ハッチングを施した部分と、断面に左上がり細線ハッチングを施した部分とが、それぞれ別個の一体になるように、気密を要する箇所にはパッキン（図示せず）を設けて、固定してある。
【００３４】
そして、取付フレーム８４に固定した電動機８６の内部には所要の減速機構が組み込まれており、電動機８６の回転軸８６Ａに固定した小傘歯車８５Ｃが回転すると、大傘歯車８５Ｄに固定したネジ軸６２Ｂが回転して、ネジ軸６２Ｂがネジ穴６２Ａに入れ出しされるため、右下がり傾斜の細線ハッチングを施した部分が移動するので、弁体６１が弁座６１Ａに対して開閉動作することになるものである。
【００３５】
したがって、気密用部材６６Ａの外側が、直接、外気にさらされることがなく、気密用部材６６Ａの外側と外気との間に、液体７０の下流側に配置された気体、つまり、液体７０の蒸気が充満された気密室８１Ａが介在しているため、気密用部材６６Ａの部分に、液体７０中の混入剤の結晶が析出したり、液体７０中の腐食生成物、鉄粉、溶接スラッジなどが固化して、駆動棒６２の移動を阻害し、または、気密構造を破壊するなどの弊害がなくなり、また、仮に、液体７０が気密用部材６６Ａの外側に漏れ出した場合でも、下流側の気体、つまり、液体７０の蒸気に吸収されるため、吸収式冷凍機１００に不測の故障、例えば、冷暖運転と暖房運転との切換が不能になるなどの故障を未然に防止することができる。
【００３６】
〔第２実施例〕
次に、第２実施例として、図２により図１とは異なる電動弁３００の実施例を説明する。図２において、図５の電動弁３００と異なる箇所は、貫通部分３３の外側の壁部６４Ａと駆動棒６２との間に、弁体６１の移動、つまり、駆動棒６２の移動にともなって変形する隔膜８０Ａを設けた気密室８１Ａを形成した箇所と、気密室８１に、この気密室８１Ａと、液体７０の圧力と平衡状態をもつ液体７０の下流側に配置された気体の部分（図示せず）とを接続するための流路として均圧管路８３Ａを設けた箇所とである。
【００３７】
そして、具体的には、隔膜８０Ａは、図１における隔膜８０Ａと同様のものであって、一端側は、駆動棒６２の張出部分６２Ｃに、また、他端側は、壁部６４Ａに気密状に固定した筒体８７の解放端側８７Ａに、それぞれ、ろー付け、または、溶接で気密状に固定することにより、気密室８０Ａを形成してある。
【００３８】
各構成部材は、断面に右上がり傾斜の細線ハッチングを施した部分と、断面に左上がり細線ハッチングを施した部分とが、それぞれ別個の一体になるように、気密を要する箇所にはパッキン（図示せず）を設けて、固定してある。
【００３９】
そして、電動機８６の内部には所要の減速機構が組み込まれており、電動機８６の回転軸８６Ａに固定したピニオン８５Ｂが回転すると、貫通部分３３と軸受８５Ｆとで支持されたラック８５Ａが移動するため、右下がり傾斜の細線ハッチングを施した部分が移動することになるので、弁体６１が弁座６１Ａに対して開閉動作することになるものである。
【００４０】
したがって、第１実施例の場合と同様に、気密用部材６６Ａの外側が、直接、外気にさらされることがなく、気密用部材６６Ａの外側と外気との間に、液体７０の下流側に配置された気体、つまり、液体７０の蒸気が充満している気密室８１Ａが介在しているため、第１実施例と同様の効果が得られるほか、第１実施例に比べて、構成部材が少なく、簡便安価に構成にできる。
【００４１】
〔第１実施例・第２実施例の構成の要約〕
上記の第１実施例・第２実施例の構成を要約すると、
弁室６４の壁部６４Ａに設けた貫通部分６６を貫通する駆動棒６２によって弁体６１を移動することにより、混入剤を含んだ液体７０の流路７１を開閉するとともに、上記の駆動棒６２を、例えば、電動機８６による電動力によって駆動する電動式弁、例えば、電動弁３００において、
【００４２】
上記の貫通部分６６に気密用部材６６Ａを設けるとともに、上記の貫通部分６６の外側の上記の壁部６４Ａと上記の駆動棒６２との間に、上記の移動に伴って変形する隔膜、例えば、ベローズによる隔膜８０Ａを設けた気密室８１Ａを形成する気密室形成手段と、
上記の気密室８１Ａと、上記の液体７０の下流側に配置された上記の液体７０の蒸気７５の部分とを接続するための流路、例えば、均圧管路８３Ａを設けることにより、上記の気密用部材６６Ａの部分に上記の混入剤の結晶が析出することを防止する結晶析出防止手段と
を設ける第１の構成を構成していることになるものである。
【００４３】
〔第３実施例〕
次に、第３実施例として、図３により第１実施例・第２実施例による電動式弁、つまり、電動弁３００を用いた吸収式冷凍機１００の実施例を説明する。
【００４４】
図３において、図７の構成と異なる箇所は、開閉弁Ｖ１・Ｖ２・Ｖ３・Ｖ４として第１実施例または第２実施例の構成による電動弁３００を用いている箇所と、電動弁３００の均圧管路８３Ａを、流入口６３に流入する液体７０に相当する吸収液に対して平衡状態をもつとともに、その吸収液の下流側に配置された気体、つまり、冷媒蒸気の部分に接続するように構成した箇所である。
【００４５】
具体的には、開閉弁Ｖ１では、流入口６３を中間液２ｂの部分に接続し、また、均圧管路８３Ａを、例えば、吸収器１の底部側の冷媒蒸気７ｃの部分に接続している。開閉弁Ｖ２では、流入口６３を冷媒液８ｂの部分に接続し、また、均圧管路８３Ａを、例えば、蒸発器２０の底部側の冷媒蒸気７ｃの部分に接続している。
【００４６】
開閉弁Ｖ３では、流入口６３を熱交換器３の下流側の管路内の濃液２ｄの部分に接続し、また、均圧管路８３Ａを、例えば、吸収器１の底部側の冷媒蒸気７ｃの部分に接続している。開閉弁Ｖ４では、流入口６３を冷媒液８ａの部分に接続し、均圧管路８３Ａを、例えば、吸収器１の冷媒蒸気７ｃの部分に接続している。
【００４７】
したがって、第１実施例の場合と同様に、気密用部材６６Ａの外側が、直接、外気にさらされることがなく、気密用部材６６Ａの外側と外気との間に、液体７０と平衡状態にある気体、つまり、液体７０の蒸気が充満された気密室８１Ａが介在しているため、第１実施例と同様の効果が得られる。
【００４８】
〔第３実施例の構成の要約〕
この第３実施例の構成を要約すると、
吸収液、例えば、濃液２ａ・中間液２ｂ・冷媒液８ａ・冷媒液８ｂを、冷媒蒸気７ｃを保有する部分に、流下させるために、弁室６４の壁部６４Ａに設けた貫通部分６６を貫通する駆動棒６２によって弁体６１を移動することにより、上記の吸収液の流路７１を開閉するとともに、上記の駆動棒６２を電動力、例えば、電動機８６による電動力によって駆動する電動式弁３００を設けた吸収式冷凍機１００において、
【００４９】
上記の貫通部分６６に気密用部材６６Ａを設けるとともに、上記の貫通部分６６の外側の上記の壁部６４Ａと上記の駆動棒６２との間に、上記の移動に伴って変形する隔膜、例えば、ベローズによる隔膜８０Ａを設けた気密室８１Ａを形成する気密室形成手段と、
上記の気密室８１Ａと、上記の液体７０の下流側に配置された上記の冷媒蒸気７ｃの部分とを接続するための流路、例えば、均圧管路８３Ａを設けることにより、上記の気密用部材６６Ａの部分に上記の吸収液の混入剤の結晶が析出することを防止する結晶析出防止手段と
を設ける第２の構成を構成していることになるものである。
【００５０】
〔変形実施〕
この発明は次のように変形して実施することを含むものである。
（１）隔膜８０Ａを、合成樹脂材で構成するとともに、隔膜８０Ａを、例えば、第１従来技術と同様の取付構造によって、所要の箇所に固定して構成する。
【００５１】
（２）隔膜８０Ａの形状を蛇腹状にせずに、適宜の曲面状にして構成する。
（３）均圧用管路８３Ａを設ける箇所を気密室８１Ａの他の箇所に変更して構成する。
【００５２】
（４）電動機８６と歯車機構８５による駆動機構部分５０を第１従来技術と同様の電磁コイルとプランジャとにる駆動機構に変更して構成する。
【００５３】
（５）電動機８６と歯車機構８５による駆動機構部分５０を、直線動作の電動機、つまり、リニアモータによる駆動機構に変更して構成する。
【００５４】
（６）開閉弁Ｖ１・Ｖ２・Ｖ３・Ｖ４のうちの所要の開閉弁、例えば、開閉弁Ｖ１のみについて、第１の構成による電動式弁を適用して構成する。
【００５５】
【発明の効果】
この発明によれば、以上のように、第１の構成と第２の構成では、気密用部材の外側に、混入剤を含んだ液体の下流側に配置された気体、つまり、混入剤を含んだ液体の蒸気が充満している気密室が介在しているため、気密用部材の部分に、混入剤の結晶の析出や、腐食生成物、鉄粉、溶接スラッジなどの固化による駆動棒の移動阻害と気密構造の破壊などを防止することができ、また、仮に、液体が気密用部材の外側に漏れ出した場合でも、下流側の気体、つまり、混入剤を含んだ液体の蒸気に吸収できる。
【００５６】
さらに、第３の構成では、吸収液の流路を開閉するが、上記の第１の構成と第２の構成のようになっているため、冷暖運転と暖房運転との切換を不能するなどの故障を未然に防止しできる吸収式冷凍機を提供し得るなどの特長がある。
【図面の簡単な説明】
図面中、図１〜図３はこの発明の実施例を、また、図４〜図６は従来技術を示し、各図の内容は次のとおりである。
【図１】要部構成縦断面図
【図２】要部構成縦断面図
【図３】全体ブロック構成図
【図４】要部構成縦断面図
【図５】要部構成縦断面図
【図６】全体ブロック構成図
【符号の説明】
１  吸収器
１Ａ  散布管
１Ｂ  冷却管
２ａ  稀液
２ｂ  中間液
２ｃ  中間液
２ｄ  濃液
３  熱交換管
４  熱交換管
５  高温再生器
５Ａ  加熱槽
５Ｃ  分離槽
７ａ  冷媒蒸気
７ｂ  冷媒蒸気
７ｃ  冷媒蒸気
８ａ  冷媒液
８ｂ  冷媒液
１１  低温再生器
１１Ａ  放熱管
１５  凝縮器
１５Ａ  冷却管
２０  蒸発器
２０Ａ  散布管
２０Ｂ  熱交換管
３１ａ  冷却用水
３２ａ  冷／温戻水
３２ｂ  冷／温水
５０  駆動機構部分
５２  電磁コイル
５５  プランジャ
５６  案内シリンダ
６０  弁機構部分
６１  弁体
６１Ａ  弁座
６２  駆動棒
６２Ａ  ネジ穴
６２Ｂ  ネジ軸
６２Ｃ  張出部分
６３  流入口
６４  弁室
６４Ａ  壁部
６５  流出口
６６  貫通部分
６６Ａ  気密用部材
７０  液体
７１  流路
７５  気体
８０  隔膜
８０Ａ  隔膜
８１  気密室
８１Ａ  気密室
８３  均圧管
８３Ａ  均圧管
８４  取付フレーム
８５  歯車機構
８５Ａ  ラック
８５Ｂ  ピニオン
８５Ｃ  小傘歯車
８５Ｄ  大傘歯車
８５Ｅ  軸受
８５Ｆ  軸受
８６  電動機
８６Ａ  回転軸
８７  筒体
８７Ａ  解放端
１００  吸収式冷凍機
２００  電磁弁
３００  電動弁
Ｐ１  ポンプ
Ｐ２  ポンプ
Ｖ１  開閉弁
Ｖ２  開閉弁
Ｖ３  開閉弁
Ｖ４  開閉弁
【図１】
0003748953.tif 000002
【図２】
0003748953.tif 000003
【図３】
0003748953.tif 000004
【図４】
0003748953.tif 000005
【図５】
0003748953.tif 000006
【図６】
0003748953.tif 000007